(57)【要約】【課題】  工事黒板を足場などの悪い所に設置する時に、記入などの際に用いるチョークや黒板消しを黒板裏面などに取り付けられた箱から落とし、なくしたりすることが多発していた。このため工事担当者はポケットなどにチョークや黒板消しを入れるが、チョークは折れ易く、また黒板消しのチョークの粉がポケット内部に付着し、洗濯しても落ちにくくさらに雨天時はチョークや黒板消しが濡れ使用できなくなる。【解決手段】  チョークと黒板消しを収納するケースにおいて上部にふたを設けマジックテープを介してふたを止めて雨の侵入を防ぐと共にケース本体の背面にマジックテープを貼り付け、このテープに対応する雄・雌面の対となる反対面を有するマジックテープを例えば衣服などに貼り付け両方のマジックテープでケース本体を衣服に固定して持ち運ぶことを容易とした。【選択図】図１
2008023306.tif 000002
【特許請求の範囲】
【請求項１】
チョークと黒板消しを収納する透明ケースにおいて、ふたを設け、ふた裏面とケース本体の表（おもて）面にマジックテープ（登録商標）を貼り付けると共にケース本体の背面にマジックテープを貼り付けたことを特徴とするチョークと黒板消し収納用透明ケース。
【請求項２】
ケース本体の寸法として、縦を８０〜１１０ｍｍ、横を８０〜１１０ｍｍ、厚さを１５〜３０ｍｍとすることを特徴とする請求項１記載のチョークと黒板消し収納用透明ケース。
【発明の詳細な説明】
【技術分野】
【０００１】  土木・建設等の工事現場に設置される工事黒板用のチョークと黒板消し収納ケースに関する。
【背景技術】
【０００２】  従来、工事内容等を記載・表示する工事黒板において、これに用いるチョークと黒板消しは工事黒板の裏側などに固定・設置された箱などに入れられていた。
【発明の開示】
【発明が解決しようとする課題】
【０００３】  上記した工事黒板の裏側に設置した箱を用いた場合、次のような問題点があった。【０００４】  工事進捗状況の写真を撮影するに当たって、工事の内容等を記入した工事黒板も含めて写真を撮らなければならないが、工事現場は足場などの環境が悪い所が多くその中で、工事黒板を設置する時に、チョークや黒板消しを箱から落とし、なくしたりすることが多発していた。また、工事黒板に固定・設置された箱が外れることもしばしば起こっていた。【０００５】  このような不具合を解消するために工事担当者はポケットなどにチョークや黒板消しを入れたりするが、チョークは折れ易く、また黒板消しのチョークの粉がポケット内部に付着し、洗濯しても落ちにくいなどの問題が発生していた。さらに雨天時はチョークや黒板消しが濡れるため、以後使用できなくなることも起こっていた。
【課題を解決するための手段】
【０００６】  本発明は以上のような問題点を安価にしかも確実に解決するためのものである。【０００７】  すなわち、請求項１の発明は、チョークと黒板消しを収納する透明ケースにおいて、ふたを設け、ふた裏面とケース本体の表（おもて）面にマジックテープを貼り付けると共にケース本体の背面にマジックテープを貼り付けたことを特徴とするチョークと黒板消し収納用透明ケースである。ここにおいて、透明ケースにすることによりチョークの消耗状況を肉眼で的確に知ることができるためである。またふたを設けることにより雨天時の雨の侵入を防ぎ、かつふた裏面とケース本体の表（おもて）面にマジックテープを貼り付けることにより風雨時にも確実に雨の侵入を防止できるものである。さらにケース本体の背面に貼り付けされたマジックテープはこのテープに対応する雄・雌面の対となる反対面を有するマジックテープを例えば衣服などに貼り付け両方のマジックテープでケース本体を衣服に固定して持ち運ぶことができるためのものである。【０００８】  さらに、請求項２の発明はケース本体の寸法として、縦を７０〜１００ｍｍ、横を７０〜１００ｍｍ、厚さを１５〜２５ｍｍとすることを特徴とする請求項１記載のチョークと黒板消し収納用透明ケースである。ここにおいてケース本体の寸法を規定した理由を述べる。一般的なチョークのサイズは直径が約１２ｍｍ、長さが約８０ｍｍである。一方、一般的な小型の黒板消しのサイズは縦が約４０ｍｍ、横が約８０ｍｍ、厚さが約２０ｍｍである。ケースへの収納方法としては、黒板消しを縦長に置き、その横に２本チョークを収納する場合あるいは黒板消しを横長に置き、その上に２本チョークを収納する場合などが考えられ、いずれの場合においても持ち運び易さ、取り扱い易さの観点よりできるだけ小型でかつ無駄な空間を抑えきちっと収納されてケース内部での黒板消しやチョークの動きを抑えてチョークの折れを防ぐと共に取り出しの容易さなども考慮されて規定されたサイズである。
【発明の効果】
【０００９】  以上のように、本発明のチョークと黒板消し収納用透明ケースは衣服などに貼り付けて持ち運びできるため工事黒板に取り付けることがなく足場の悪い工事現場での紛失などを防止できる。またポケットに入れることがないためチョークが折れることやポケット内部がチョークの粉で汚れることもなくかつ取り付けられたふたの裏面とケース本体の表（おもて）面にマジックテープを貼り付けることによりにより雨天時もチョークと黒板消しが濡れることもない。さらにケース本体の背面に貼り付けたマジックテープはこのテープに対応する雄・雌面の対となる反対面を有するマジックテープを例えば衣服などに貼り付け両方のマジックテープでケース本体を衣服に固定して手軽に持ち運べることができる。【００１０】  さらに、ケース本体の寸法を規定することにより持ち運び易く、取り扱い易くかつ無駄な空間を抑えきちっと収納されてケース内部での黒板消しやチョークの動きを抑えてチョークの折れを防ぐと共に取り出しの容易さなども可能となった。
【発明を実施するための最良の形態】
【００１１】  本発明のチョークと黒板消し収納用透明ケースの一実施例について図を用いて説明する。【００１２】  チョークと黒板消し収納用透明ケースの側面図を図１に平面図を図２に示す。両図において、ケース本体１の上部にふた２が設けられふたの裏面にマジックテープ３さらにこれに対向してケース本体の表（おもて）面にマジックテープ４が貼り付けられ雨の侵入を防ぐ。さらにケース本体の背面にもマジックテープ５が貼り付けられる。そしてこのテープに対応する雄・雌面の対となる反対面を有するマジックテープを例えば衣服などに貼り付け両方のマジックテープでケース本体を衣服に固定して手軽に持ち運べることができるのである。また工事黒板を建設現場の壁面に設置した場合、工事黒板横の壁面に本発明のケースを取り付けることもできる。
【図面の簡単な説明】
【００１３】
【図１】チョークと黒板消し収納用透明ケースの側面図
【図２】チョークと黒板消し収納用透明ケースの平面図
【図３】
【図４】
【符号の説明】
１．ケース本体
２．ふた
３．ふた裏面のマジックテープ
４．ケース本体表（おもて）面のマジックテープ
５．ケース本体背面のマジックテープ
【図１】
2008023306.tif 000003
【図２】
2008023306.tif 000004
【手続補正書】
【提出日】平成18年10月6日(2006.10.6)
【手続補正３】
【補正対象書類名】明細書
【補正対象項目名】００１３
【補正方法】変更
【補正の内容】
【００１３】
【図１】チョークと黒板消し収納用透明ケースの側面図
【図２】チョークと黒板消し収納用透明ケースの平面図
【符号の説明】
１．ケース本体
２．ふた
３．ふた裏面のマジックテープ
４．ケース本体表（おもて）面のマジックテープ
５．ケース本体背面のマジックテープ